(57)【要約】      （修正有）【課題】商用電源のバックアップ電源に電池を用いる際の容量確保とコスト抑制の面での利便性を高める警報器を提供する。【解決手段】商用電源からの電力をコントローラ３５、通電／警報表示等回路４５、音声警報／故障検出回路４７、非常灯回路４９及び照度検出回路５１にに供給する主電源部２１と、乾電池１９及び同形状の二次電池５５のうちいずれか一方が着脱自在かつ選択的に装着される電池ホルダ１５と、商用電源の停電中に、電池ホルダに装着された乾電池又は二次電池の電力をコントローラ及び各回路４５、４７、４９、５１に供給する補助電源部３９と、電池ホルダに装着された二次電池５５の非放電中に、主電源部から供給される電力により二次電池を充電する充電回路４３とを備える。【選択図】図３
2020035173.tif 000002
【特許請求の範囲】
【請求項１】
商用電源からの電力を負荷に供給する主電源部と、
一次電池及び二次電池のうちいずれか一方の電池が着脱自在かつ選択的に装着される電池装着部と、
前記主電源部からの電力供給の中断中に、前記電池装着部に装着された電池の電力を前記負荷に供給する補助電源部と、
前記電池装着部に装着された前記二次電池の非放電中に、前記主電源部から供給される電力により前記二次電池を充電する充電部と、
を備える警報器。
【請求項２】
前記負荷は、異常の検出時に発光部を警報時の態様で発光させる警報灯点灯部と、前記主電源部からの電力供給の中断中の低照度時に、前記警報時とは異なる低照度時の態様で前記発光部を発光させる非常灯点灯部を含んでいる請求項１記載の警報器。
【請求項３】
前記電池装着部は、該電池装着部に装着された電池の電極が接触する共通接点部を有しており、前記電池装着部に装着された電池の種類に応じて前記一次電池側と前記二次電池側との間で切替操作され、前記一次電池側に切り替えられているときに前記充電部を前記共通接点部から絶縁させると共に、前記二次電池側に切り替えられているときに前記充電部を前記共通接点部に導通させる切替スイッチをさらに備える請求項１又は２記載の警報器。
【請求項４】
前記電池装着部は、該電池装着部に装着された前記一次電池の電極が接触する接点部と、前記電池装着部に装着された前記二次電池の電池側コネクタが接続される回路側コネクタとを有しており、前記接点部に対する前記一次電池の電極の接触状態と、前記回路側コネクタに対する前記電池側コネクタの接続状態とのうち、少なくとも一方の状態から、前記電池装着部に装着された電池の種類を検出する検出部と、該検出部による前記一次電池の検出中に前記負荷に対して前記一次電池を導通させると共に前記二次電池を絶縁させ、前記検出部による前記二次電池の検出中に前記負荷に対して前記一次電池を絶縁させると共に前記二次電池を導通させるスイッチ部とをさらに備える請求項１又は２記載の警報器。
【請求項５】
前記負荷は、前記検出部が検出した電池の種類を報知する電池種類報知部をさらに備える請求項４記載の警報器。
【発明の詳細な説明】
【技術分野】
【０００１】
本発明は、異常を検出して警報する警報器に関する。
【背景技術】
【０００２】
異常を検出して警報する警報器の発光部を照明として利用する提案を、本出願人は過去に行っている（例えば、特許文献１）。
【先行技術文献】
【特許文献】
【０００３】
【特許文献１】特開２０１８−９２５７２号公報
【発明の概要】
【発明が解決しようとする課題】
【０００４】
この提案による警報器では、発光部を発光させる機会が増えて電力の消費が増えることが予想される。このため、商用電源で警報器を作動させる場合は、停電時に商用電源をバックアップする電源の容量を考えておく必要がある。
【０００５】
即ち、停電時に商用電源をバックアップする電源に一次電池を用いると、商用電源の停電時に一次電池が短期間で枯渇し、新品の一次電池への交換を頻繁に行う必要が生じてしまう。
【０００６】
本発明は前記事情に鑑みなされたもので、本発明の目的は、商用電源のバックアップ電源に電池を用いる際の容量確保を、商用電源の供給状態や、電池交換作業の利便性、電池交換コスト等への要求に応じた適切な態様で実施できる警報器を提供することにある。
【課題を解決するための手段】
【０００７】
上記目的を達成するため本発明の第１の態様による警報器は、
商用電源からの電力を負荷に供給する主電源部と、
一次電池及び二次電池のうちいずれか一方の電池が着脱自在かつ選択的に装着される電池装着部と、
前記主電源部からの電力供給の中断中に、前記電池装着部に装着された電池の電力を前記負荷に供給する補助電源部と、
前記電池装着部に装着された前記二次電池の非放電中に、前記主電源部から供給される電力により前記二次電池を充電する充電部と、
を備える。
【０００８】
本発明の第１の態様による警報器によれば、一次電池及び二次電池のうちいずれか一方の電池が電池装着部に装着されると、主電源部からの電力供給の中断中に、電池装着部の電池の電力が負荷に供給される。
【０００９】
ここで、電池装着部の電池が一次電池である場合は、主電源部からの電力供給が中断する度に一次電池の電荷が放電されて残量が減少する。このため、一次電池の電力を使い果たしたら新しい一次電池に交換しなければならなくなる。即ち、一次電池を使用する場合は、電池切れの度に新しい一次電池に交換する手間と電池代とがかかる。その代わり、新しい一次電池に交換したら、負荷に対する一次電池からの電力供給をすぐに再開することができる。
【００１０】
一方、電池装着部の電池が二次電池である場合は、主電源部からの電力を利用して非放電中の二次電池を充電部により充電することができる。このため、二次電池を交換せずに電池装着部に装着したままにしていても、例えば、異常時に警報機能が電池切れで作動しない等の状況が起こるリスクを減らすことができる。その代わり、二次電池が電池切れすると、充電部により十分に充電されるまでの間、二次電池からの電力供給は期待できなくなる。
【００１１】
このように、一次電池と二次電池とでは、電池装着部の電池が電池切れした場合の電力供給再開の迅速性、電池交換作業の利便性、電池交換にかかるコスト等に関して、互いに異なる特徴を有している。
【００１２】
そこで、電池装着部の電池が切れたときに、その時点における主電源部からの電力供給状態や、電池交換作業の利便性、電池交換のコスト等に関する要求に応じて、電池装着部の電池を一次電池と二次電池とのどちらに交換するかを、ユーザが選ぶことができる。
【００１３】
よって、バックアップ用の電源とする電池の選択肢を増やし、商用電源のバックアップ電源に電池を用いる際の容量確保を、商用電源の供給状態や、電池交換作業の利便性、電池交換コスト等への要求に応じた適切な態様で実施することができる。
【００１４】
また、本発明の第２の態様による警報器は、本発明の第１の態様による警報器において、前記負荷は、異常の検出時に発光部を警報時の態様で発光させる警報灯点灯部と、前記主電源部からの電力供給の中断中の低照度時に、前記警報時とは異なる低照度時の態様で前記発光部を発光させる非常灯点灯部を含んでいる。
【００１５】
本発明の第２の態様による警報器によれば、本発明の第１の態様による警報器において、異常の検出時に警報灯点灯部が警報時の態様で発光させる発光部を、非常灯点灯部が、主電源部からの電力供給の中断中の低照度時に、低照度時の態様で発光させる。
【００１６】
このため、主電源部からの電力供給の中断中に低照度時の態様で発光部が発光することで補助電源部の電力消費が進む場合に、補助電源部に用いる電池の容量確保を適切な態様で実施することができる。
【００１７】
さらに、本発明の第３の態様による警報器は、本発明の第１又は第２の態様による警報器において、前記電池装着部は、該電池装着部に装着された電池の電極が接触する共通接点部を有しており、前記電池装着部に装着された電池の種類に応じて前記一次電池側と前記二次電池側との間で切替操作され、前記一次電池側に切り替えられているときに前記充電部を前記共通接点部から絶縁させると共に、前記二次電池側に切り替えられているときに前記充電部を前記共通接点部に導通させる切替スイッチをさらに備える。
【００１８】
本発明の第３の態様による警報器によれば、本発明の第１又は第２の態様による警報器において、電池装着部の電池の種類に応じて切替スイッチを切替操作することで、二次電池を電池装着部に装着したときにだけ、充電部が電池装着部の電池に接続される。
【００１９】
このため、電池装着部に一次電池を装着したときに、一次電池に充電部が接続されて一次電池が充電されてしまうのを防止することができる。
【００２０】
また、本発明の第４の態様による警報器は、本発明の第１又は第２の態様による警報器において、前記電池装着部は、該電池装着部に装着された前記一次電池の電極が接触する接点部と、前記電池装着部に装着された前記二次電池の電池側コネクタが接続される回路側コネクタとを有しており、前記接点部に対する前記一次電池の電極の接触状態と、前記回路側コネクタに対する前記電池側コネクタの接続状態とのうち、少なくとも一方の状態から、前記電池装着部に装着された電池の種類を検出する検出部と、該検出部による前記一次電池の検出中に前記負荷に対して前記一次電池を導通させると共に前記二次電池を絶縁させ、前記検出部による前記二次電池の検出中に前記負荷に対して前記一次電池を絶縁させると共に前記二次電池を導通させるスイッチ部とをさらに備える。
【００２１】
本発明の第４の態様による警報器によれば、本発明の第１又は第２の態様による警報器において、電池装着部に一次電池を装着すると、装着した一次電池の電極が接触して接点部の電位が変化する。また、電池装着部に二次電池を装着すると、装着した二次電池の電池側コネクタの接続により回路側コネクタの電位が変化する。
【００２２】
したがって、接点部及び回路側コネクタの電位変化から、それぞれに対する一次電池の電極の接触及び二次電池の電池側コネクタの接続を検出することができる。
【００２３】
そこで、検出部は、接点部及び回路側コネクタのうち少なくとも一方の接続状態から、電池装着部に装着された電池が一次電池であるか二次電池であるかを検出することができる。このため、電池装着部に装着した電池を常に負荷に接続し、主電源部からの電力供給の中断中に補助電源部の電力を負荷に確実に供給させることができる。
【００２４】
さらに、本発明の第５の態様による警報器は、本発明の第４の態様による警報器において、前記負荷は、前記検出部が検出した電池の種類を報知する電池種類報知部をさらに備える。
【００２５】
本発明の第５の態様による警報器によれば、本発明の第４の態様による警報器において、電池種類報知部の報知内容から識別可能な電池装着部の電池の種類を目安に、電池収容部の電池が切れたときの電池交換の要否を判断できる。
【００２６】
なお、一次電池の電池交換の要否は、例えば、一次電池の電池電圧の低下により判断することができる。一方、二次電池の電池交換の要否は、例えば、二次電池の充放電回数、放電時間数、商用電源の停電回数により判断することができる。電池交換が必要と判断された場合は、インジケータ等を用いて電池交換を報知することができる。
【００２７】
また、二次電池の場合は、充放電回数、放電時間数、商用電源の停電回数が電池交換に必要な数に達する前から、その数に達することが予想される時期を、例えば、それらの残り許容数等としてユーザに報知してもよい。
【発明の効果】
【００２８】
本発明によれば、商用電源のバックアップ電源に電池を用いる際の容量確保を、商用電源の供給状態や、電池交換作業の利便性、電池交換コスト等への要求に応じた適切な態様で実施することができる。
【図面の簡単な説明】
【００２９】
【図１】本発明の第１実施形態に係るガス警報器の概略構成を示す説明図である。
【図２】図１のハウジングの側部の構成を示すガス警報器の斜視図である。
【図３】図１のガス警報器の電気的な構成を示すブロック図である。
【図４】本発明の第２実施形態に係るガス警報器の側部の構成を示す斜視図である。
【図５】図４のガス警報器の電気的な構成を示すブロック図である。
【発明を実施するための形態】
【００３０】
以下、本発明の実施形態について、図面を参照して説明する。各図面を通じて同一もしくは同等の部位や構成要素には、同一もしくは同等の符号を付している。
【００３１】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００３２】
図１は本発明の第１実施形態に係るガス警報器の概略構成を示す説明図である。図１に示す本実施形態のガス警報器１（請求項中の警報器に相当）は、例えば屋内の台所等、ガスの使用場所に設置される。
【００３３】
ガス警報器１は、ハウジング３の前面５に、雰囲気取入口７、音声用通孔９及び警報停止ボタン１１を有している。
【００３４】
雰囲気取入口７は、ハウジング３の外部と内部とを連通させるもので、ガス警報器１の周辺の雰囲気をハウジング３の内部に取り入れるために形成されている。
【００３５】
ハウジング３の内部には、雰囲気取入口７に臨ませて、ガスセンサ（図示せず）が配置されている。ガスセンサは、例えば、接触燃焼式のものを用いることができる。
【００３６】
音声用通孔９は、ハウジング３の外部と内部とを連通させるもので、不図示のガスセンサがガスを検出したガス漏れ警報状態にあることを報知する警報音（音声メッセージ、ブザー音等）をガス警報器１の設置空間に出力させるために形成されている。
【００３７】
ハウジング３の内部には、音声用通孔９に臨ませて、スピーカ（図示せず）が配置されている。スピーカは、ガスセンサがガスを検出するとトリガされる不図示の音声合成ＩＣ等の音源が生成するガス漏れの警報音を鳴動させる。
【００３８】
警報停止ボタン１１は、音声用通孔９から出力される警報音を停止させるために押圧操作されるもので、本実施形態では、自己復帰式の押圧ボタンによって構成されている。警報停止ボタン１１は透光性を有する中空の樹脂部材により形成されている。
【００３９】
ハウジング３の内部には、警報停止ボタン１１の裏側に位置するように、不図示の光源が配置されている。光源は、例えば、多色発光式のＬＥＤ（発光ダイオード）によって構成することができる。この光源は、ガスセンサがガスを検出すると、例えば赤色等の警報色で点灯（又は点滅）される。この態様は、請求項中の警報時の態様に相当する。
【００４０】
光源の警報色での点灯（又は点滅）は、警報停止ボタン１１を押圧操作すると、これを検出したコントローラ（図示せず）の制御により停止させることができる。
【００４１】
なお、光源が点灯（又は点滅）すると、警報停止ボタン１１を透過した光がガス警報器１の周辺で視認可能となる。したがって、警報停止ボタン１１は、ガス漏れ警報状態にあるときに、警報色の光を出力して警報状態であることを報知する。即ち、本実施形態のガス警報器１では、警報停止ボタン１１が発光部の機能を併せ持っている。
【００４２】
以上に説明した、ガス漏れを検出し警報状態であることを報知するガス警報器１の基本動作は、不図示のコンセントを介して商用電源から供給される電力を用いて実現される。
【００４３】
ところで、本実施形態１のガス警報器１では、ガス漏れ警報状態になく警報停止ボタン１１が警報色の光を出力していないときに、発光部としての警報停止ボタン１１を、基本動作とは別の目的（拡張機能）に利用する。
【００４４】
具体的には、まず、商用電源の電力が停電により供給されなくなった場合に、光源を警報色以外の例えば白熱電球色で点灯させて、発光部としての警報停止ボタン１１を非常灯として利用する。
【００４５】
また、ガス警報器１の設置空間が一定の照度以下の暗さになる夜間等において、ガス漏れ警報状態にないときに、光源を警報色及び白熱電球色（非常灯点灯色）以外の照明色で点灯させて、発光部としての警報停止ボタン１１を常夜灯として利用する。この態様は、請求項中の低照度時の態様に相当する。
【００４６】
警報停止ボタン１１を非常灯として利用するガス警報器１の拡張機能のために、ガス警報器１には、商用電源とは別の電源が設けられている。拡張機能用の電源は、ハウジング３の側部に設けられている。
【００４７】
図２の斜視図に示すように、ハウジング３の側面１３には、蓋１７付きの電池ホルダ１５（請求項中の電池装着部に相当）が形成されている。電池ホルダ１５は、本実施形態では、単３形の乾電池１９（請求項中の一次電池に相当）を着脱自在に装着できる構造を有している。したがって、乾電池１９と同じ形状を有する後述の二次電池５５（図３参照）も、電池ホルダ１５に装着することができる。
【００４８】
但し、電池ホルダ１５に一度に装着できる電池は１つである。したがって、電池ホルダ１５には、乾電池１９と二次電池５５とのどちらか１つを選択的に装着することができる。
【００４９】
次に、ガス警報器１の電気的な構成について、図３のブロック図を参照して説明する。図３に示すように、ガス警報器１は、不図示の商用電源からの電力（ＡＣ１００Ｖ）をサージから保護するサージ保護回路２３及び直流に整流する整流回路２５を有する主電源部２１を有している。
【００５０】
整流回路２５で直流に整流した主電源部２１からの電力は、スイッチング回路２７によって、定格電圧の高低に応じた２つの系統（低電圧Ｖ１、高電圧Ｖ２）に分配される。
【００５１】
スイッチング回路２７で分配された低電圧Ｖ１（例えば、２〜３Ｖ）は、センサ駆動故障検出回路２９及び停電検出回路３１にそれぞれ供給される。センサ駆動故障検出回路２９は、都市ガス・ＣＯ（一酸化炭素）検出回路３３に動作用電力を供給する。
【００５２】
停電検出回路３１は、スイッチング回路２７からの低電圧Ｖ１の供給の有無により、商用電源の停電の有無を検出する。停電検出回路３１は、コントローラ３５に検出結果を出力する。
【００５３】
都市ガス・ＣＯ検出回路３３は、上述した不図示のガスセンサに相当する。都市ガス・ＣＯ検出回路３３は、コントローラ３５からのトリガ信号に呼応して、図１の雰囲気取入口７からハウジング３の内部に取り入れたガス警報器１の周辺の雰囲気中のガスを検出する。都市ガス・ＣＯ検出回路３３は、コントローラ３５に検出結果を出力する。
【００５４】
コントローラ３５（請求項中の検出部に相当）は、トリガ信号に対する都市ガス・ＣＯ検出回路３３の応答がない場合や応答が正常な内容でない場合に、故障検出信号をセンサ駆動故障検出回路２９に出力する。センサ駆動故障検出回路２９は、コントローラ３５からの故障検出信号が入力されている間、都市ガス・ＣＯ検出回路３３に対する動作用電力の供給を停止する。
【００５５】
一方、スイッチング回路２７で分配された高電圧Ｖ２（例えば、７〜１０Ｖ）は、５Ｖ定電圧回路３７と補助電源部３９の後述する充電回路４３とにそれぞれ供給される。
【００５６】
５Ｖ定電圧回路３７は、スイッチング回路２７で分配された高電圧Ｖ２から５Ｖの低電圧を生成する。生成した５Ｖの定電圧は、作動用電力として、ガス警報器１の負荷に相当するコントローラ３５、通電／警報表示等回路４５、音声警報／故障検出回路４７、非常灯回路４９及び照度検出回路５１にそれぞれ供給される。
【００５７】
補助電源部３９は、５Ｖ昇圧回路４１と充電回路４３とを有している。５Ｖ昇圧回路４１は、入力された直流電力を５Ｖに昇圧するＤＣＤＣコンバータを含んでいる。
【００５８】
５Ｖ昇圧回路４１は、停電検出回路３１の検出結果が停電有り（停電発生）であるときにコントローラ３５が出力するイネーブル信号によって、有効状態とされる。有効状態とされた５Ｖ昇圧回路４１は、電池ホルダ１５に装着された電池（乾電池１９又は二次電池５５）からの電力を５Ｖに昇圧する。
【００５９】
コントローラ３５がイネーブル信号を出力していないとき（停電検出回路３１の検出結果が停電なし（停電非発生）であるとき）は、５Ｖ昇圧回路４１は無効化される。５Ｖ昇圧回路４１が無効化されると、電池ホルダ１５に装着された電池（乾電池１９又は二次電池５５）は、５Ｖ昇圧回路４１から絶縁される。
【００６０】
そして、５Ｖ昇圧回路４１は、昇圧した５Ｖの直流電力を、バックアップ用電力として、コントローラ３５、通電／警報表示等回路４５、音声警報／故障検出回路４７、非常灯回路４９及び照度検出回路５１にそれぞれ供給する。
【００６１】
充電回路４３（請求項中の充電部に相当）は、図２の電池ホルダ１５に二次電池５５が装着された場合に、スイッチング回路２７で分配された高電圧Ｖ２により、電池ホルダ１５の二次電池５５を充電する。
【００６２】
通電／警報表示等回路４５（請求項中の警報灯点灯部に相当）は、正常な給電状態を示す不図示のパイロットランプ、上述した光源、ならびに、それらのドライバ回路を含んでいる。
【００６３】
通電／警報表示等回路４５は、コントローラ３５が５Ｖ定電圧回路３７からの電力供給を受けている間、図１のハウジング３の外部から視認可能な箇所に配置された不図示のパイロットランプを点灯させる。
【００６４】
また、通電／警報表示等回路４５は、都市ガス・ＣＯ検出回路３３の検出結果がガス漏れ警報状態に相当する内容であるとコントローラ３５が出力するガス漏れ検出信号に基づいて、上述した光源を警報色で点灯（又は点滅）させる。
【００６５】
音声警報／故障検出回路４７は、コントローラ３５が出力するガス漏れ検出信号に基づいて、上述した音源に警報音の信号を生成させ、図１の音声用通孔９の裏側に配置したスピーカ５３に警報音を鳴動させる。
【００６６】
非常灯回路４９（請求項中の非常灯点灯部に相当）は、５Ｖ昇圧回路４１から電力供給を受けている間（商用電源の停電中）、上述した光源を例えば白熱電球色で点灯させる。また、非常灯回路４９は、照度検出回路５１の検出結果からガス警報器１の設置空間が一定の照度以下の暗さであることを認識したコントローラ３５が点灯信号を出力している間、上述した光源を照明色で点灯させる。
【００６７】
但し、通電／警報表示等回路４５がコントローラ３５からのガス漏れ検出信号に基づいて光源を警報色で点灯（又は点滅）させている間は、コントローラ３５からの点灯信号が入力されても光源を照明色では点灯させない。
【００６８】
なお、上述したように、図２に示すように、電池ホルダ１５に装着できる単３型の乾電池１９及び二次電池５５は、共に同じ形状を有しており、電池の両端面に＋電極５７及び−電極５９をそれぞれ有している。
【００６９】
そして、電池ホルダ１５に乾電池１９を装着すると、装着した乾電池１９の＋電極５７及び−電極５９（請求項中の電池装着部に装着した電池の電極に相当）が、電池ホルダ１５内に露出した図３の＋接点６１及び−接点６３（請求項中の共通接点部に相当）にそれぞれ接触する。電池ホルダ１５に二次電池５５を装着しても、二次電池５５の＋電極５７及び−電極５９が＋接点６１及び−接点６３にそれぞれ接触する。
【００７０】
したがって、コントローラ３５は、＋接点６１及び−接点６３の接触状態やコントローラ３５に入力される信号の状態から、電池ホルダ１５に装着した電池が乾電池１９と二次電池５５とのどちらであるかを判別することができない。
【００７１】
そこで、本実施形態のガス警報器１では、電池ホルダ１５に装着した電池の種類によって切り替え操作される切替スイッチ６５を設けている。この切替スイッチ６５は、ハウジング３の外部から操作可能な箇所に配置してもよく、電池の装着前に電池ホルダ１５の内部に露出する箇所に配置してもよい。
【００７２】
但し、電池ホルダ１５に蓋１７を取り付けてもハウジング３の外部から視認できる箇所に切替スイッチ６５を配置すれば、蓋１７を外して中を見なくても、電池ホルダ１５に装着した電池の種類を確認できる構成とすることができる。
【００７３】
そして、切替スイッチ６５を図３中のａ接点側に切り替えると、電池ホルダ１５の＋接点６１が切替スイッチ６５を介して、５Ｖ昇圧回路４１に接続されると共に充電回路４３から絶縁される。
【００７４】
一方、切替スイッチ６５を図３中のｂ接点側に切り替えると、電池ホルダ１５の＋接点６１が切替スイッチ６５を介して、５Ｖ昇圧回路４１及び充電回路４３に接続される。
【００７５】
したがって、電池ホルダ１５に充電できない乾電池１９を装着した場合は、切替スイッチ６５を図３中のａ接点側に切り替える。また、電池ホルダ１５に充電可能な二次電池５５を装着した場合は、切替スイッチ６５を図３中のｂ接点側に切り替える。
【００７６】
このように構成された本実施形態のガス警報器１では、単３型の乾電池１９と二次電池５５とのどちらかを選んで電池ホルダ１５に装着することができる。
【００７７】
このため、乾電池１９を電池ホルダ１５に装着すれば、商用電源の停電中に乾電池１９が切れたときに次の乾電池１９と交換することで、乾電池１９の電力供給をすぐに再開させることができる。これにより、商用電源の停電時にコントローラ３５及び各回路４３〜５１の動作を乾電池１９の電力ですぐに動作させて、非常灯又は常夜灯としての警報停止ボタン１１の光源の点灯を迅速に再開させることができる。
【００７８】
但し、電池ホルダ１５に乾電池１９を装着する場合は、電池切れの度に新しい乾電池１９に交換する手間と、乾電池１９の電池代とがかかる。
【００７９】
一方、二次電池５５を電池ホルダ１５に装着すれば、二次電池５５が電荷を５Ｖ昇圧回路４１に放電していない間に、商用電源からの電力を用いて、電池ホルダ１５の二次電池５５が充電回路４３により充電される。
【００８０】
このため、電池ホルダ１５に二次電池５５を装着したままにしていても、警報停止ボタン１１の光源やスピーカ５３を用いた警報時の警報機能が電池切れで実行されなくなるリスクを減らすことができる。但し、二次電池５５が電池切れすると、二次電池５５からの電力供給は、二次電池５５が充電回路４３により十分に充電されるまでの間、期待できなくなる。
【００８１】
即ち、商用電源の停電中に警報停止ボタン１１の光源を非常灯又は常夜灯として点灯させるコントローラ３５及び各回路４９，５１の動作が、二次電池５５の電池切れで停止した場合、それらの動作再開には時間がかかる可能性がある。
【００８２】
このように、乾電池１９と二次電池５５とでは、電池ホルダ１５の電池が電池切れした場合のコントローラ３５及び各回路４９，５１に対する電力供給再開の迅速性、電池交換作業の利便性、電池交換にかかるコスト等に関して、互いに異なる特徴を有している。
【００８３】
そこで、電池ホルダ１５の切れた電池を乾電池１９と二次電池５５とのどちらに交換するかを、主電源部２１からの電力供給が中断しているかどうかや、乾電池１９の交換にかかるコストに関する要求等に応じて、ユーザに選択させることができる。
【００８４】
よって、補助電源部３９用の電源とする電池の選択肢を増やし、補助電源部３９に電池を用いる際の容量確保とコスト抑制の面でのユーザの利便性を高めることができる。
【００８５】
また、本実施形態のガス警報器１では、電池ホルダ１５に装着した電池の種類（乾電池１９又は二次電池６９）に応じて切替スイッチ６５を切替操作することで、二次電池５５を電池ホルダ１５に装着したときにだけ、充電回路４３が電池ホルダ１５に接続される。
【００８６】
このため、電池ホルダ１５に乾電池１９を装着したときに、乾電池１９に充電回路４３が接続されて乾電池１９が充電回路４３により充電されてしまうのを防止することができる。
【００８７】
次に、本発明の第２実施形態に係るガス警報器１について説明する。本実施形態のガス警報器１は、図４に示すように、乾電池１９とは形が異なる二次電池６９（図５参照）を電池ホルダ１５に装着するときに使う回路側コネクタ６７を、電池ホルダ１５内に配置した点で、第１実施形態のガス警報器１とは構成が異なっている。
【００８８】
上述した回路側コネクタ６７は、図５のブロック図に示すように、コントローラ３５と充電回路４３との間に接続されている。この回路側コネクタ６７には、電池ホルダ１５に二次電池６９を装着する場合に、二次電池６９に取り付けられた電池側コネクタ７１が接続される。
【００８９】
なお、本実施形態のガス警報器１は、電池ホルダ１５の＋接点６１と５Ｖ昇圧回路４１との間で開閉する常時開状態の第１バススイッチ７３と、回路側コネクタ６７と５Ｖ昇圧回路４１との間で開閉する常時開状態の第２バススイッチ７５とを有している。第１バススイッチ７３及び第２バススイッチ７５は、請求項中のスイッチ部に相当している。第１バススイッチ７３及び第２バススイッチ７５は、コントローラ３５によって開閉される。
【００９０】
また、図５には、電池ホルダ１５に装着された乾電池１９と回路側コネクタ６７に電池側コネクタ７１を接続した電池ホルダ１５の二次電池６９とを同時に記載しているが、乾電池１９と二次電池６９とが電池ホルダ１５に同時に装着されることはない。
【００９１】
本実施形態のガス警報器１において、図４に示すように、電池ホルダ１５に乾電池１９が装着される場合は、乾電池１９の＋電極５７及び−電極５９が、図５に示す電池ホルダ１５の＋接点６１及び−接点６３（請求項中の接点部に相当）にそれぞれ接触する。
【００９２】
このため、乾電池１９が電池ホルダ１５に装着されれば、回路側コネクタ６７に二次電池６９の電池側コネクタ７１が接続されることはない。反対に、二次電池６９が電池ホルダ１５に装着されれば、電池ホルダ１５の＋接点６１及び−接点６３に乾電池１９の＋電極５７及び−電極５９が接触することはない。
【００９３】
そして、本実施形態のガス警報器１では、電池ホルダ１５に乾電池１９を装着すると、乾電池１９の＋電極５７との接触で、コントローラ３５が監視する電池ホルダ１５の＋接点６１の電位が変化する。
【００９４】
なお、コントローラ３５は、電池ホルダ１５の＋接点６１及び−接点６３の電位と電位差を常時検出する。したがって、電池ホルダ１５に乾電池１９を装着する前の初期状態では、コントローラ３５が検出する＋接点６１及び−接点６３の電位及び電位差はいずれも０Ｖである。コントローラ３５は、初期状態において、常時開状態の第１バススイッチ７３を開（オープン）状態とする。
【００９５】
＋接点６１の電位変化で乾電池１９の電池ホルダ１５への装着を検出すると、コントローラ３５は、常時開状態の第１バススイッチ７３を閉じて、電池ホルダ１５の＋接点６１を５Ｖ昇圧回路４１に接続させる。このため、電池ホルダ１５の乾電池１９の電力が５Ｖ昇圧回路４１に供給される。
【００９６】
また、本実施形態のガス警報器１では、図４の電池ホルダ１５に二次電池６９を装着して電池側コネクタ７１を回路側コネクタ６７に接続すると、電池側コネクタ７１との接続で、コントローラ３５が監視する回路側コネクタ６７の電位が変化する。
【００９７】
なお、コントローラ３５は、回路側コネクタ６７の電位を常時検出する。したがって、二次電池６９の電池側コネクタ７１を回路側コネクタ６７に接続する前の初期状態では、コントローラ３５が検出する回路側コネクタ６７の電位は０Ｖである。コントローラ３５は、初期状態において、常時開状態の第２バススイッチ７５を開（オープン）状態とする。
【００９８】
電池ホルダ１５に装着した二次電池６９の電池側コネクタ７１と回路側コネクタ６７との接続を検出すると、コントローラ３５は、常時開状態の第２バススイッチ７５を閉じて、電池ホルダ１５の回路側コネクタ６７を５Ｖ昇圧回路４１に接続させる。このため、電池ホルダ１５の二次電池６９の電力が５Ｖ昇圧回路４１に供給される。
【００９９】
５Ｖ昇圧回路４１は、停電検出回路３１の検出結果が停電有り（停電発生）であるときにコントローラ３５が出力するイネーブル信号によって、有効状態とされる。有効状態とされた５Ｖ昇圧回路４１は、電池ホルダ１５に装着された電池（乾電池１９又は二次電池６９）からの電力を５Ｖに昇圧する。
【０１００】
コントローラ３５がイネーブル信号を出力していないとき（停電検出回路３１の検出結果が停電なし（停電非発生）であるとき）は、５Ｖ昇圧回路４１は無効化される。５Ｖ昇圧回路４１が無効化されると、電池ホルダ１５に装着された電池（乾電池１９又は二次電池６９）は、５Ｖ昇圧回路４１から絶縁される。
【０１０１】
そして、５Ｖ昇圧回路４１は、昇圧した５Ｖの直流電力を、バックアップ用電力として、コントローラ３５、通電／警報表示等回路４５、音声警報／故障検出回路４７、非常灯回路４９及び照度検出回路５１にそれぞれ供給する。
【０１０２】
充電回路４３は、図４の電池ホルダ１５に二次電池６９が装着されて電池側コネクタ７１を回路側コネクタ６７に接続された場合に、スイッチング回路２７で分配された高電圧Ｖ２により、電池ホルダ１５の二次電池６９を充電する。
【０１０３】
本実施形態の通電／警報表示等回路４５（請求項中の電池種類報知部に相当）は、コントローラ３５が検出する図４の電池ホルダ１５に装着された電池（乾電池１９又は二次電池６９）を示す不図示の電池種類ランプとそのドライバ回路をさらに含んでいる。
【０１０４】
このように構成された本実施形態のガス警報器１では、商用電源からの電力が主電源部２１を介して供給されている間は、５Ｖ定電圧回路３７からコントローラ３５及び各回路４３〜５１に、直流５Ｖの定電圧が供給される。
【０１０５】
一方、主電源部２１を介した商用電源からの電力供給が途絶えている間は、電池ホルダ１５に装着した乾電池１９又は二次電池５５からの５Ｖ昇圧回路４１で昇圧した直流５Ｖの電力が、コントローラ３５及び各回路４３〜５１に供給される。
【０１０６】
そして、コントローラ３５及び各回路４３〜５１は、商用電源から５Ｖ定電圧回路３７を介して供給される電力で動作する。詳しくは、コントローラ３５及び各回路４３〜５１は、ガス検出動作やガス漏れ警報動作等をそれぞれ行う。
【０１０７】
また、商用電源の停電時には、コントローラ３５及び各回路４９，５１が、５Ｖ昇圧回路４１から供給される電力で動作する。詳しくは、商用電源の停電時に、コントローラ３５及び各回路４９，５１は、非常灯の点灯動作、夜間の暗いときにおける照明灯（常夜灯）の点灯動作等をそれぞれ行う。
【０１０８】
なお、本実施形態のガス警報器１でも、商用電源の停電中にガス警報器１の設置空間が一定の照度以下の暗さになると、照明色で点灯した光源の光で警報停止ボタン１１が非常灯として発光する。
【０１０９】
このように構成された本実施形態のガス警報器１では、単３型の乾電池１９と、乾電池１９とは形状が異なる二次電池６９とのどちらかを選んで、電池ホルダ１５に装着することができる。
【０１１０】
このため、第１実施形態のガス警報器１と同様に、電池ホルダ１５の切れた電池を乾電池１９と二次電池６９とのどちらに交換するかを、ユーザに選択させることができる。
【０１１１】
よって、補助電源部３９用の電源とする電池の選択肢を増やし、補助電源部３９に電池を用いる際の容量確保とコスト抑制の面でのユーザの利便性を高めることができる。
【０１１２】
また、本実施形態のガス警報器１では、電池ホルダ１５の＋接点６１の電位や回路側コネクタ６７の電位の変化から、それぞれに対する乾電池１９の＋電極５７の接触及び二次電池６９の電池側コネクタ７１の接続を検出することができる。
【０１１３】
このため、コントローラ３５は、部は、＋電極５７及び回路側コネクタ６７のうち少なくとも一方の電位から、電池ホルダ１５に装着された電池が乾電池１９であるか二次電池６９であるかを検出することができる。よって、電池ホルダ１５に装着した電池を常にコントローラ３５及び各回路４３〜５１に接続し、主電源部２１からの電力供給の中断中に補助電源部３９の電力をコントローラ３５及び各回路４３〜５１に確実に供給させることができる。
【０１１４】
さらに、本実施形態のガス警報器１では、通電／警報表示等回路４５の不図示の電池種類ランプの表示内容で、電池ホルダ１５に装着された電池が乾電池１９であるか二次電池６９であるかを確認することができる。
【０１１５】
このため、電池ホルダ１５に装着した電池が切れたときの電池交換の要否を、通電／警報表示等回路４５の電池種類ランプの表示内容で確認できる電池ホルダ１５の電池の種類（乾電池１９又は二次電池６９）を目安に判断することができる。
【０１１６】
なお、乾電池１９の電池交換の要否は、例えば、コントローラ３５が電池ホルダ１５の＋接点６１及び−接点６３の電位及び電位差を通じて検出する乾電池１９の電池電圧の低下により判断することができる。一方、二次電池５５の電池交換の要否は、例えば、コントローラ３５が回路側コネクタ６７の電位を通じて検出する二次電池５５の充放電回数、放電時間数、商用電源の停電回数により判断することができる。
【０１１７】
乾電池１９又は二次電池５５の電池交換が必要とコントローラ３５が判断した場合は、インジケータ等を用いて電池交換をユーザに報知することができる。
【０１１８】
また、二次電池５５の場合は、二次電池５５の充放電回数、放電時間数、商用電源の停電回数が電池交換に必要な数に達する前から、その数に達することが予想される時期を、例えば、それらの残り許容数等としてユーザに報知してもよい。
【０１１９】
また、本実施形態のガス警報器１では、コントローラ３５が検出した電池ホルダ１５の電池の種類（乾電池１９又は二次電池６９）に応じて、第１バススイッチ７３及び第２バススイッチ７５の開閉状態をコントローラ３５が切り替えることができる。
【０１２０】
このため、二次電池６９を電池ホルダ１５に装着したときにだけ、充電回路４３が電池ホルダ１５の二次電池６９に接続される。
【０１２１】
このため、電池ホルダ１５に乾電池１９を装着したときに、乾電池１９に充電回路４３が接続されて乾電池１９が充電回路４３により充電されてしまうのを防止することができる。
【０１２２】
これまでに説明した実施形態では、設置空間のガス漏れを検出し警報するガス警報器１を例に取って説明した。しかし、この思想は、上述した各実施形態で説明したガス警報器に限らず、設置空間の煙を検出し警報する警報器等、ガス漏れ以外の警報状態を検出し警報する種々の警報器にも、広く適用可能である。
【産業上の利用可能性】
【０１２３】
本発明は、異常を検出して警報する警報器に適用して極めて有用である。
【符号の説明】
【０１２４】
１  ガス警報器（警報器）
３  ハウジング
５  ハウジング前面
７  雰囲気取入口
９  音声用通孔
１１  警報停止ボタン（発光部）
１３  ハウジング側面
１５  電池ホルダ（電池装着部）
１７  電池ホルダ蓋
１９  乾電池（一次電池）
２１  主電源部
２３  サージ保護回路
２５  整流回路
２７  スイッチング回路
２９  センサ駆動故障検出回路
３１  停電検出回路
３３  都市ガス・ＣＯ検出回路
３５  コントローラ（検出部）
３７  ５Ｖ定電圧回路
３９  補助電源部
４１  ５Ｖ昇圧回路
４３  充電回路（充電部）
４５  通電／警報表示等回路（警報灯点灯部、電池種類報知部）
４７  音声警報／故障検出回路
４９  非常灯回路（非常灯点灯部）
５１  照度検出回路
５３  スピーカ
５５，６９  二次電池
５７  ＋電極（電池装着部に装着した電池の電極）
５９  −電極（電池装着部に装着した電池の電極）
６１  ＋接点（共通接点部、接点部）
６３  −接点（共通接点部、接点部）
６５  切替スイッチ
６７  回路側コネクタ
７１  電池側コネクタ
７３  第１バススイッチ（スイッチ部）
７５  第２バススイッチ（スイッチ部）
【図１】
2020035173.tif 000003
【図２】
2020035173.tif 000004
【図３】
2020035173.tif 000005
【図４】
2020035173.tif 000006
【図５】
2020035173.tif 000007